(57)【特許請求の範囲】
【請求項１】
少なくとも側壁又は底部に開口部を有する箱体と、該箱体内に載置される通水性を有した容器と、該容器に圧力をかける加重体からなる装置であって、前記容器内にリン酸イオンと反応して不溶性又は難溶性の塩を形成するリン除去剤の水溶液を入れたことを特徴とする脱リン装置。
【請求項２】
槽内を上流側から嫌気濾床槽、好気濾床槽、沈殿槽又は処理水槽、消毒槽に区切り、前記沈殿槽又は処理水槽から嫌気濾床槽へ返流させる循環水移行管を有した汚水浄化槽であって、前記嫌気濾床槽、好気濾床槽又は循環水移行管に請求項１記載の脱リン装置を付設したことを特徴とする汚水浄化槽。
【発明の詳細な説明】
【０００１】
【発明の属する技術分野】
本発明は、し尿排水、合併排水及びその他の工場廃水等からリン成分を除去するための脱リン装置及び該装置を付設した汚水浄化槽に関する。
【０００２】
【従来の技術】
排水からリン成分を除去する方法には、生物摂取法、反応凝集法、晶析法、イオン交換法等が広く知られている。中でも反応凝集法は、除去時間が短く比較的容易にリン成分の除去可能であるため、この業界では適用されることが多い。
【０００３】
反応凝集法の具体的な方法は、リン酸イオンと反応して不溶性又は難溶性の塩を形成するリン除去剤、例えば、硫酸アルミニウム、ポリ塩化アルミニウム、塩化第二鉄、ポリ硫酸第二鉄、消石灰、塩化カルシウム等の多価塩の水溶液又は固形物を、排水中に添加することにより、リン成分をリン酸アルミニウム、リン酸第二鉄、リン酸カルシウム等にして沈殿又は浮上させることにより固液分離を行なうというものである。
【０００４】
前述した反応凝集法に用いるリン除去剤は、水溶液を用いる場合、定量ポンプにより汚水中に供給される。そのため、汚水処理装置に定量ポンプ及び空運転防止の制御装置等の電気的付帯機器が必要になり、戸建住宅を始めとする小規模汚水浄化槽のような、経費面、維持管理面を重要視する製品には、技術的にはリン成分の除去が可能であっても、実施化されることは少ない。
【０００５】
そこで、電気的付帯機器を使用しないリン除去剤として、固体の鉄材、アルミニウム材を処理槽に浸漬することにより、イオンを溶出させて、リン酸イオンとの不溶性塩を形成させ、分離除去する方法も提言されている。
【０００６】
【発明が解決しようとする課題】
しかしながら、前述したような固体のリン除去剤を使用する方法は、溶存酸素及び微生物付着後の硫酸塩還元菌の腐食作用により、イオン溶出すると考えられており、イオンの溶出速度が不安定なものとなっている。更には、多くのイオンを溶出させるためには、鉄材やアルミニウム材を多量に浸漬させる必要があり、処理装置自体が非常に重くなるという問題がある。
【０００７】
本発明では、以上のような課題に鑑みて成されたものであり、固体のリン除去剤を用いることなく、液体のリン除去剤を用いて、定量ポンプ及び空運転防止の制御装置等の電気的付帯機器を使用することのない脱リン装置及び該装置を付設した汚水浄化槽を提供することを目的とする。
【０００８】
【課題を解決するための手段】
本発明の第１は、図１に示すように、少なくとも側壁又は底部に開口部２を有する箱体１と、該箱体１内に載置される通水性を有した容器３と、該容器３に圧力をかける加重体４からなる装置であって、前記容器３内にリン酸イオンと反応して不溶性又は難溶性の塩を形成するリン除去剤６の水溶液を入れたことを特徴としている。
【０００９】
本発明の第２は、図２及び図３に示すように、槽内を上流側から嫌気濾床槽、好気濾床槽１１、沈殿槽又は処理水槽、消毒槽１３に区切り、前記沈殿槽又は処理水槽から嫌気濾床槽へ返流させる循環水移行管１４を有した汚水浄化槽８であって、前記嫌気濾床槽、好気濾床槽１１又は循環水移行管１４に請求項１記載の脱リン装置を付設したことを特徴としている。
【００１０】
【発明の実施の形態】
本発明でいうリン除去剤６の水溶液とは、リン酸イオンと反応して不溶性又は難溶性の塩を形成するリン除去剤、例えば、硫酸アルミニウム、ポリ塩化アルミニウム、塩化第二鉄、ポリ硫酸第二鉄、塩化カルシウム等の多価塩の水溶液を意味する。
【００１１】
本発明でいう通水性を有した容器３とは、前述したリン除去剤６の水溶液を通水させるための容器３であり、具体的には、精密濾過膜、限外濾過膜、微粒子の結合濾過体、連通性発泡体からなるフィルム及びシートを意味する。容器３は、連続又は間欠的に定量供給可能なように、通水抵抗を有していることが好ましく、中に入れる溶液による自重又は、重し、圧力空気等の外圧（加重体）により溶液を透過させる。
【００１２】
本発明では、脱リン装置を用いることにより、電気的に制御する高価な機器を使用することなく、脱リンを行なうことが可能であり、該装置を汚水浄化槽に組み込むことも簡単に行なえる。
【００１３】
【実施例】
以下、本発明の実施例について図面を用いて説明する。図１は、本発明の脱リン装置を示す１実施例であり、箱体１内に塩素化ポリエチレン（膜厚約０．１ｍｍ、公称孔径０．４μｍ）にて製作した容器３に、ポリ塩化アルミニウム水溶液（粘度３〜６ｃｐ）を入れて、該容器上に加重体４を載置している。加重体４には、外部から容器３内の水溶液がどの程度残っているかを確認しやすくするために、目盛柱７を設置している。
【００１４】
容器３内の水溶液は、加重体４により容器３を透過し、開口部２からリン除去剤６として排出される。加重体４の重さ又は外圧は、容器３の材質及び溶液の粘度により異なるが、概ね数ｍｌ／ｍｉｎの水溶液を透過可能であればまったく問題なく使用可能である。
【００１５】
図２及び図３は、本発明の汚水浄化槽を示すものであり、汚水浄化槽８内部を上流側から嫌気濾床槽第１室９、嫌気濾床槽第２室１０、好気濾床槽１１、処理水槽１２、消毒槽１３に区画している。嫌気濾床槽第１室９及び嫌気濾床槽第２室１０には、嫌気処理を促進させるために、それぞれ濾床を設置しており、好気濾床槽１１にも好気処理を促進するための濾床及び該濾床下方に散気管を配置している。
【００１６】
嫌気及び好気処理を施された処理水は、処理水槽１２にて消毒層槽１３へと越流するものと、循環水移行管１４により、処理水槽１２から嫌気濾床槽第１室９へと返流されるものとに分かれ、処理水を返流させることにより窒素成分を除去している。一方、越流した処理水は、消毒槽１３を介して系外に排出される。
【００１７】
前述した脱リン装置は、その開口部２が嫌気濾床槽、好気濾床槽１１又は循環水移行管１４の何れかの場所に臨むようになっていれば脱リン可能であるが、本実施例では、処理水ともっともよく撹拌される循環水移行管１４にリン除去剤供給口１７を設けることにより付設させている。リン除去剤６の水溶液とリン成分の反応の結果作られる、不溶性又は難溶性の塩は、汚泥と共に汚水浄化槽８の底部に貯留されるため、年に１回程度吸引除去を行なう。
【００１８】
本発明では、脱リンを行なうための装置について説明してきたが、図１にて説明した装置は、容器３内の水溶液を消毒剤（次亜塩素酸ナトリウム）に変更するだけで、消毒槽１３に用いることも可能であり、従来液体を定量ポンプにて供給していたような部位に適宜応用することも可能である。
【００１９】
【発明の効果】
以上説明したとおり、本発明によれば、必要なリン除去剤を安定して供給することが可能となり、汚水浄化槽に用いる場合には、定量ポンプ等を使用しないために、戸建て住宅レベルの小規模汚水浄化槽でも容易にリンの除去が行なえる。
【図面の簡単な説明】
【図１】本発明の実施例である脱りん装置を示す断面図である。
【図２】本発明の実施例である汚水浄化槽を示す上面図である。
【図３】図２に示す汚水浄化槽のＡ−Ａ断面図である。
【符号の説明】
１．箱体  ２．開口部  ３．容器  ４．加重体  ６．リン除去剤  ７．目盛柱  ８．汚水浄化槽  ９．嫌気濾床槽第１室  １０．嫌気濾床槽第２室  １１．好気濾床槽  １２．処理水槽  １３．消毒槽  １４．循環水移行管  １５．汚水  １６．処理水  １７．リン除去剤供給口
【図１】
0003918960.tif 000002
【図２】
0003918960.tif 000003
【図３】
0003918960.tif 000004